(57)【要約】  【課題】  植物に文字や図形等の画像を簡単、かつ短時間で転写することができるようにして、画像の転写作業の作業性を向上させることができる転写装置およびその転写装置によって画像が転写された植物を提供すること。  【解決手段】  転写装置１０が、本体１１に設けられ、花びら２を挿通する挿通孔１４と、本体１１内に設けられ、挿通孔１４に挿通された花びら２が設置される設置台１５と、一面側が設置台１５に対向するとともに、切欠き文字１８ａが形成されるプレート１８と、プレート１８の他面側に対向して設けられ、設置台１５に設置された花びら２に切欠き文字１８ａを通してインクを噴射する噴射装置２１〜２３とを備える。【選択図】  図３
2006263519.tif 000002
【特許請求の範囲】
【請求項１】
植物の所定の転写面に画像を転写する転写装置であって、
筐体と、前記筐体に設けられ、前記植物を挿通する挿通部と、
前記筐体内に設けられ、前記挿通部に挿通された植物が設置される設置部と、
一面側が前記設置部に対向するとともに、切欠き画像が形成される転写媒体と、
前記転写媒体の他面側に対向して設けられ、前記設置部に設置された前記植物の転写面に、前記切欠き画像を通してインクを噴射する噴射手段とを備えたことを特徴とする転写装置。
【請求項２】
前記転写媒体を把持する把持手段と、前記把持手段を前記設置部に対して近接・離隔させる近接・離隔手段とを有し、前記転写媒体により前記転写面を押圧可能であることを特徴とする請求項１に記載の転写装置。
【請求項３】
前記転写媒体は、前記把持手段に着脱自在であることを特徴とする請求項１または請求項２に記載の転写装置。
【請求項４】
前記転写面が花びらであることを特徴とする請求項１〜請求項３の何れか１項に記載の転写装置。
【請求項５】
請求項１〜請求項４の何れか１項に記載の転写装置によって所定の転写面に画像が転写されたことを特徴とする植物。
【請求項６】
前記転写面が花びらであることを特徴とする請求項５に記載の植物。
【発明の詳細な説明】
【技術分野】
【０００１】
本発明は、植物の花びら等に文字や図形等の画像を転写することができる転写装置および画像が転写された植物に関する。
【背景技術】
【０００２】
一般に、ばらやカーネーション等の花は、記念日、誕生日、クリスマス、バレンタインデー、ホワイトデーや他の有意義な出来事を祝うために様々な理由で贈り物として交換される。また、感謝、友情、愛情、恋愛、同情の気持ちを表すために用いられている。
【０００３】
一方、花を送る場合には、メッセージカードに自分の気持ちを書き込んで自分で直接、または花屋を介して相手に送ることにより、自分の気持ちに花を添えて感動的に伝えることができる。
【０００４】
また、近時では、花びらに直接文字を転写して相手に送るようにしたものがあり、より感動的に相手に自分の気持ちを伝えることができる。従来の花びらに文字を転写するものとしては、印刷面である版の感光材に、ポジフィルムを用いて文字をフォトエッチングして版にインクを塗った後、パッド等の転写媒体を版に接して置き、次いで、転写媒体により版の画像領域からインクを運び上げ、媒体上に反転画像を作成した後、転写媒体によってインクで描かれた画像を花びらに転写することにより、印刷された画像を花びらに定着するようにしたものがある（例えば、特許文献１参照）。
【０００５】
【特許文献１】特表２００５−５０４５３５号公報
【発明の開示】
【発明が解決しようとする課題】
【０００６】
しかしながら、このような従来の方法としては、印刷面である版の感光材に、ポジフィルムを用いて文字をフォトエッチングし、版にインクを塗って転写媒体を版に接して置く工程と、転写媒体により版の画像領域からインクを運び上げ、媒体上に反転画像を作成した後、転写媒体によってインクで描かれた画像を花びらに転写する工程とが必要になるとともに、その工程を人手で行う必要があるため、文字を転写するための作業が非常に面倒で時間が掛かるものとなってしまった。
【０００７】
本発明はこのような問題を解決するためになされたもので、植物に文字や図形等の画像を簡単、かつ短時間で転写することができるようにして、画像の転写作業の作業性を向上させることができる転写装置およびその転写装置によって画像が転写された植物を提供するものである。
【課題を解決するための手段】
【０００８】
本発明の転写装置は、植物の所定の転写面に画像を転写する転写装置であって、筐体と、前記筐体に設けられ、前記植物を挿通する挿通部と、前記筐体内に設けられ、前記挿通部に挿通された植物が設置される設置部と、一面側が前記設置部に対向するとともに、切欠き画像が形成される転写媒体と、前記転写媒体の他面側に対向して設けられ、前記設置部に設置された前記植物の転写面に、前記切欠き画像を通してインクを噴射する噴射手段とを備えたものから構成されている。
【０００９】
この構成により、植物を挿通部に挿通して設置部に設置した後、植物の転写面に転写媒体の切欠き画像を通して噴射手段からインクを噴射することにより、転写媒体の切欠き画像を植物に転写することができる。
このため、植物に文字や図形等の画像を簡単、かつ短時間で転写することができ、画像の転写作業の作業性を向上させることができる。
【００１０】
また、植物の転写面に転写媒体の切欠き画像を通して噴射手段からインクを噴射することにより、転写媒体の切欠き画像を植物に転写することができるので、転写装置の構造を簡素化することができ、転写装置の製造コストを低減することができる。
【００１１】
また、本発明の転写装置は、前記転写媒体を把持する把持手段と、前記把持手段を前記設置部に対して近接・離隔させる近接・離隔手段とを有し、前記転写媒体により前記転写面を押圧可能であるものから構成されている。
【００１２】
この構成により、設置部に設置された転写媒体により植物の転写面を押圧することができるため、植物の転写面が花びらである場合には、花びらを平面状にした状態で転写媒体を介して噴射手段からインクを噴射することができる。このため、花びらに転写されたインクの大きさや濃度を転写面に亘って一定にすることができ、転写品質が低下するのを防止することができる。
【００１３】
また、本発明の転写装置は、前記転写媒体は、前記把持手段に着脱自在であるものから構成されている。
この構成により、文字や図形の異なる種々の切欠き画像が形成された転写媒体を転写装置に装着することができ、植物に多種のメッセージ等を転写することができる。
【００１４】
また、本発明の転写装置は、前記転写面が花びらであるものから構成されている。
この構成により、記念日、誕生日、クリスマス、バレンタインデー、ホワイトデーや他の有意義な出来事を祝うために花びらに直接メッセージを転写して送ることができる。
【００１５】
また、本発明の植物は、前記転写装置によって所定の転写面に画像が転写されたものから構成されている。
この構成により、記念日、誕生日、クリスマス、バレンタインデー、ホワイトデーや他の有意義な出来事を祝うために植物に直接メッセージを転写して送ることができる。
【００１６】
また、本発明の植物は、前記転写面が花びらであるものから構成されている。
この構成により、記念日、誕生日、クリスマス、バレンタインデー、ホワイトデーや他の有意義な出来事を祝うために花びらに直接メッセージを転写して送ることができる。
【発明の効果】
【００１７】
本発明の転写装置および画像が転写された植物によれば、植物に文字や図形等の画像を簡単、かつ短時間で転写することができるようにして、画像の転写作業の作業性を向上させることができる転写装置およびその転写装置によって画像が転写された植物を提供することができる。
【発明を実施するための最良の形態】
【００１８】
以下、本発明の好適な実施の形態について、図面を用いて説明する。
図１〜図８は、本発明に係る転写装置および植物の一実施の形態を示す図である。
【００１９】
まず、構成を説明する。図１において、植物としてのばら１の花びら（所定の転写面）２には、例えば、「Ｉ  ＬＯＶＥ  ＹＯＵ」という文字３が書かれており、この文字３は転写装置によって花びら２に転写されるものである。
【００２０】
また、花びら２に転写するものは文字３以外に会社のロゴ等の図形でも良い。要は、画像であれば如何なるものでも良い。本実施の形態では、転写する画像として文字について説明する。また、所定の転写面としては、花びら２以外に茎や葉としても良い。
【００２１】
図２〜図４は転写装置を示す図である。図２において、転写装置１０の本体（筐体）１１は図示しないヒンジを介して連結された上側本体１２および下側本体１３を備えており、上側本体１２および下側本体１３は開閉自在になっている。
また、本体１１には挿通孔（挿通部）１４が形成されており、この挿通孔１４を通して本体１１内に花びら２が挿通されるようになっている。
図２、図３に示すように下側本体１３内には設置台（設置部）１５が設けられており、挿通孔１４に挿通された花びら２は設置台１５に設置されるようになっている。
【００２２】
また、下側本体１３内には油圧、空気圧等を利用したシリンダ部材（近接・離隔手段）１６が設けられており、このシリンダ部材１６には把持部材（把持手段）１７が設けられている。把持部材１７はプレート（転写媒体）１８を着脱自在になっており、プレート１８を把持した状態でシリンダ部材１６が駆動されると、プレート１８が設置台１５に対して近接・離隔するようになっている。
【００２３】
また、プレート１８には「Ｉ  ＬＯＶＥ  ＹＯＵ」という文字（以下、切欠き文字という）１８ａが打ち抜かれて形成されており、このプレート１８の一面側に設置台１５が設けられている。
【００２４】
なお、プレートは図５に示すように、「おめでとう」という切欠き文字１９ａが形成されたプレート１９や「ありがとう」という切欠き文字２０ａが形成されたプレート２０があり、任意の切欠き文字のプレート１８〜２０を選択して把持部材１７に装着することができるようになっている。なお、プレートは「ありがとう」や「おめでとう」以外の文字が形成されたものが用いることができることは言うまでもない。
【００２５】
また、上側本体１２には噴射装置（噴射手段）２１、２２、２３が設けられており、この噴射装置２１〜２３はプレート１８の他面側に設けられ、設置台１５に設置された花びら２に切欠き文字１８ａを通してインクを噴射するようになっている。なお、噴射装置２１、２２、２３から噴射されるインクが切欠き文字１８ａ以外のプレート１８部分に噴射されて周囲を汚さないように、噴射装置２１、２２、２３から切欠き文字１８ａにインクが噴射されるように設定されている。
【００２６】
なお、噴射装置２１〜２３のインクの補充に関しては、噴射装置２１〜２３そのものを上側本体１２に対して交換可能にしても良く、噴射装置２１〜２３にインク供給用のホースを装着して外部から噴射装置２１〜２３にインクを補充しても良い。
【００２７】
また、シリンダ部材１６および噴射装置２１〜２３は図示しないコントローラによって制御されるようになっており、上側本体１２の上面に設けられたスイッチ２４を押下すると、コントローラはシリンダ部材１６および噴射装置２１〜２３を操作するようになっている。
【００２８】
次に、図６、図７に基づいて切欠き文字１８ａの転写方法を説明する。
まず、花束を送る人が希望する切欠き文字が形成されたプレートを選択する。ここで、プレート１８を選択した場合には、下側本体１３から上側本体１２を開放してプレート１８を把持部材１７に装着した後、下側本体１３により上側本体１２を閉塞する。
【００２９】
次いで、ばら１を把持して挿通孔１４を通して本体１１内に花びら２を挿入して花びら２を設置台１５に設置する（図６（ａ）参照）。次いで、スイッチ２４を押下すると、シリンダ部材１６が駆動されてプレート１８が下降して花びら２を押圧する（図６（ｂ）参照）。
【００３０】
このとき、花びら２がプレート１８に沿って平面状になるとともにプレート１８と平行になる。この状態で噴射装置２１〜２３により切欠き文字１８ａを通して花びら２にインクを一定時間（例えば、１秒）噴射する（図７（ａ）参照）。
【００３１】
インクを噴射してから所定時間経過すると、シリンダ部材１６が駆動されてプレート１８が上昇して花びら２から離隔する（図７（ｂ）参照）。この後、花びら２を挿通孔１４から取り出すと、図７（ｃ）に示すように花びら２に文字３が転写されたばら１を得ることができる。
【００３２】
このように本実施の形態では、転写装置１０が、本体１１に設けられ、花びら２を挿通する挿通孔１４と、本体１１内に設けられ、挿通孔１４に挿通された花びら２が設置される設置台１５と、一面側が設置台１５に対向するとともに、切欠き文字１８ａが形成されるプレート１８と、プレート１８の他面側に対向して設けられ、設置台１５に設置された花びら２に切欠き文字１８ａを通してインクを噴射する噴射装置２１〜２３とを備えるので、花びら２を挿通孔１４に挿通して設置台１５に設置した後、花びら２にプレート１８の切欠き文字１８ａを通して噴射装置２１〜２３からインクを噴射することにより、切欠き文字１８ａを花びら２に転写することができる。このため、花びら２に文字を簡単、かつ短時間で転写することができ、画像の転写作業の作業性を向上させることができる。
【００３３】
また、花びら２にプレート１８の切欠き文字１８ａを通して噴射装置２１〜２３からインクを噴射することにより、切欠き文字１８ａを花びら２に転写することができるので、転写装置１０の構造を簡素化することができ、転写装置１０の製造コストを低減することができる。
【００３４】
また、本実施の形態では、プレート１８を把持する把持部材１７と、把持部材１７を設置台１５に対して近接・離隔させるシリンダ部材１６とを設け、プレート１８により花びら２を押圧できるようにしたので、花びら２を平面状にした状態でプレート１８を介して噴射装置２１〜２３からインクを噴射することができる。このため、花びら２に転写されたインクの大きさや濃度を花びら２の転写面に亘って一定にすることができ、転写品質が低下するのを防止することができる。
【００３５】
また、本実施の形態では、プレート１８〜２０を把持部材１７に着脱自在にしたので、種々の切欠き文字１８ａ〜２０ａが形成されたプレート１８〜２０を転写装置１０に装着することができ、花びら２に多種のメッセージ等を転写することができる。
【００３６】
また、本実施の形態では、転写面を花びら２にしたので、記念日、誕生日、クリスマス、バレンタインデー、ホワイトデーや他の有意義な出来事を祝うために花びら２に直接メッセージを転写して送ることができる。
【００３７】
なお、本実施の形態では、複数の噴射装置２１〜２３によってインクを噴射するようにしているが、これに限らず、図８に示すように、１つの噴射装置（噴射手段）３１を保持部材３２に装着し、この保持部材３２を上側本体１２に設けられたガイド部材３３に沿って移動させることにより、プレート１８に向かってインクを噴射するようにしても良い。
ここで、噴射装置３１をガイド部材３３に沿って移動させる手段としては、ガイド部材３３をラックから構成し、保持部材３２内にラックに噛合するピニオンおよびピニオンを駆動するモータを内蔵し、ピニオンの回転に伴って保持部材３２をラックに沿って移動させるようにしても良い。
【００３８】
また、上側本体１２にシリンダ部材を装着し、このシリンダ部材を保持部材３２に装着して、ピストン部材を駆動することにより、保持部材３２をガイド部材３３に沿って移動させるようにしても良い。要は、噴射装置３１をガイド部材３３に沿って移動させることができれば、どのような手段でも良いのである。
また、花はばらに限らず、カーネーションやチューリップであっても良い。但し、目視が容易な画像を印字できる花びらを備えた花であることが好ましい。
【産業上の利用可能性】
【００３９】
以上のように、本発明に係る転写装置および画像が転写された植物は、植物に文字や図形等の画像を簡単、かつ短時間で転写することができるようにして、画像の転写作業の作業性を向上させることができるという効果を有し、植物の花びら等に文字や図形等の画像を転写することができる転写装置およびその転写装置により画像が転写された植物等として有用である。
【図面の簡単な説明】
【００４０】
【図１】本発明に係る転写装置および画像が形成された植物の一実施の形態を示す図であり、転写装置によって花びらに文字が転写されたばらを示す図
【図２】一実施の形態の転写装置の外観図およびばらを示す図
【図３】一実施の形態の転写装置の内部構造の外略図
【図４】（ａ）は一実施の形態の転写装置の内部構造の斜視図、（ｂ）は転写装置の内部構造の正面図
【図５】一実施の形態の異なる切欠き文字が形成された２枚のプレートを示す図
【図６】一実施の形態の切欠き文字の転写手順を示す図
【図７】図６に後続する切欠き文字の転写手順を示す図
【図８】一実施の形態の噴射装置の他の構造を示す図
【符号の説明】
【００４１】
１  ばら（植物）
２  花びら（所定の転写面）
３  文字（画像）
１０  転写装置
１１  本体（筐体）
１４  挿通孔（挿通部）
１５  設置台（設置部）
１６  シリンダ部材（近接・離隔手段）
１７  把持部材（把持手段）
１８、１９、２０  プレート（転写媒体）
１８ａ、１９ａ、２０ａ  切欠き文字（切欠き画像）
２１〜２３、３１  噴射装置（噴射手段）
【図３】
2006263519.tif 000003
【図１】
2006263519.tif 000004
【図２】
2006263519.tif 000005
【図４】
2006263519.tif 000006
【図５】
2006263519.tif 000007
【図６】
2006263519.tif 000008
【図７】
2006263519.tif 000009
【図８】
2006263519.tif 000010